(57)【要約】【課題】  シアン、マゼンタ、イエロー、ブラックの基本４色と淡色インク、そして、新たな高彩度インクの色材色が設けられた場合に、ユーザーが求めている画質（粒状度と色再現域）と色材量に応じて最適な色分解テーブルの選択合成を可能とする。【解決手段】  基本４色のみ、基本４色＋淡色インク、基本４色＋高彩度インク、そして、基本４色＋淡色インク＋高彩度インクの４つの色分解テーブルを用意し、ＵＩと使用する色材量のヒストグラムを用いて、ユーザーの好みに応じて画質（粒状度と色再現域）と色材量を調整できるインクシステムとする。【選択図】  図１
2009038581.tif 000002
【特許請求の範囲】
【請求項１】
色分解テーブルを用いて入力画像から色材色へ色分解する画像形成装置において、
粒状度と色再現域（Gamut）を調整する手段と、
使用する色材色の組合せの異なる複数の色分解テーブル手段と、
前記粒状度と色再現域（Gamut）を調整する手段に基づき、前記使用する色材色の組合せの異なる複数の色分解テーブル手段を選択、又は、合成する手段と、
前記選択、又は、合成する手段により生成された色分解テーブルに基づき前記入力画像に対応したヒストグラムを表示する手段と
で構成されることを特徴とする画像処理装置。
【請求項２】
前記粒状度と色再現域（Gamut）を調整する手段とは、粒状度と色再現域（Gamut）を2次元的なＧＵＩを用いて調整できることを特徴とする請求項１に記載の画像処理装置。
【請求項３】
前記色材色とは、シアン、マゼンタ、イエロー、ブラックの基本色と淡色インク、そして、高彩度インクで構成されることを特徴とする請求項１に記載の画像処理装置。
【請求項４】
前記使用する色材色の組合せの異なる複数の色分解テーブル手段とは、
シアン、マゼンタ、イエロー、ブラックの基本色で構成される色分解テーブル手段と、
シアン、マゼンタ、イエロー、ブラックの基本色と淡色インクで構成される色分解テーブル手段と、
シアン、マゼンタ、イエロー、ブラックの基本色と高彩度インクで構成される色分解テーブル手段と、
シアン、マゼンタ、イエロー、ブラックの基本色と淡色インク、そして、高彩度インクで構成される色分解テーブル手段と
で構成されることを特徴とする請求項１に記載の画像処理装置。
【請求項５】
前記粒状度と色再現域（Gamut）を調整する手段に基づき、前記使用する色材色の組合せの異なる複数の色分解テーブル手段を選択、又は、合成する手段とは粒状度が大で、色再現域（Gamut）が小に調整された場合は、シアン、マゼンタ、イエロー、ブラックの基本色で構成される色分解テーブル手段を選択し、
粒状度が小で、色再現域（Gamut）が小に調整された場合は、シアン、マゼンタ、イエロー、ブラックの基本色と淡色インクで構成される色分解テーブル手段を選択し、
粒状度が大で、色再現域（Gamut）が大に調整された場合は、シアン、マゼンタ、イエロー、ブラックの基本色と高彩度インクで構成される色分解テーブル手段を選択し、
粒状度が大で、色再現域（Gamut）が小に調整された場合は、シアン、マゼンタ、イエロー、ブラックの基本色と淡色インク、そして、高彩度インクで構成される色分解テーブル手段を選択することを特徴とする請求項１に記載の画像処理装置。
【請求項６】
色分解テーブルを用いて入力画像から色材色へ色分解する画像処理方法において、
粒状度と色再現域（Gamut）を調整するステップと、
使用する色材色の組合せの異なる複数の色分解テーブルステップと、
前記粒状度と色再現域（Gamut）を調整するステップに基づき、前記使用する色材色の組合せの異なる複数の色分解テーブルステップを選択、又は、合成するステップと、
前記選択、又は、合成する手段により生成された色分解テーブルに基づき前記入力画像に対応したヒストグラムを表示するステップと
で構成されることを特徴とする画像処理方法。
【請求項７】
前記粒状度と色再現域（Gamut）を調整するステップとは、粒状度と色再現域（Gamut）を2次元的なＧＵＩを用いて調整できることを特徴とする請求項６に記載の画像処理方法。
【請求項８】
前記色材色とは、シアン、マゼンタ、イエロー、ブラックの基本色と淡色インク、そして、高彩度インクで構成されることを特徴とする請求項６に記載の画像処理方法。
【請求項９】
前記使用する色材色の組合せの異なる複数の色分解テーブルステップとは、
シアン、マゼンタ、イエロー、ブラックの基本色で構成される色分解テーブルステップと、
シアン、マゼンタ、イエロー、ブラックの基本色と淡色インクで構成される色分解テーブルステップと、
シアン、マゼンタ、イエロー、ブラックの基本色と高彩度インクで構成される色分解テーブルステップと、
シアン、マゼンタ、イエロー、ブラックの基本色と淡色インク、そして、高彩度インクで構成される色分解テーブルステップと
で構成されることを特徴とする請求項６に記載の画像処理方法。
【請求項１０】
前記粒状度と色再現域（Gamut）を調整するステップに基づき、前記使用する色材色の組合せの異なる複数の色分解テーブルステップを選択、又は、合成するステップとは粒状度が大で、色再現域（Gamut）が小に調整された場合は、シアン、マゼンタ、イエロー、ブラックの基本色で構成される色分解テーブルステップを選択し、
粒状度が小で、色再現域（Gamut）が小に調整された場合は、シアン、マゼンタ、イエロー、ブラックの基本色と淡色インクで構成される色分解テーブルステップを選択し、
粒状度が大で、色再現域（Gamut）が大に調整された場合は、シアン、マゼンタ、イエロー、ブラックの基本色と高彩度インクで構成される色分解テーブルステップを選択し、
粒状度が大で、色再現域（Gamut）が小に調整された場合は、シアン、マゼンタ、イエロー、ブラックの基本色と淡色インク、そして、高彩度インクで構成される色分解テーブルステップを選択することを特徴とする請求項６に記載の画像処理方法。
【請求項１１】
前記淡色インクは、シアン、マゼンタ、イエロー、そして、ブラックの基本色を薄めた淡シアン、淡マゼンタ、淡イエロー、そして、淡ブラックインク、または、高彩度インクを薄めた淡色インクであることを特徴とする請求項３〜請求項５のいずれかに記載の画像処理装置。
【請求項１２】
前記淡色インクは、シアン、マゼンタ、イエロー、そして、ブラックの基本色を薄めた淡シアン、淡マゼンタ、淡イエロー、そして、淡ブラックインク、または、高彩度インクを薄めた淡色インクであることを特徴とする請求項８〜請求項１０のいずれかに記載の画像処理方法。
【請求項１３】
前記高彩度インクとは、レッド、グリーン、ブルー、オレンジインクであることを特徴とする請求項３〜請求項５のいずれかに記載の画像処理装置。
【請求項１４】
前記高彩度インクとは、レッド、グリーン、ブルー、オレンジインクであることを特徴とする請求項８〜請求項１０のいずれかに記載の画像処理方法。
【発明の詳細な説明】
【技術分野】
【０００１】
本発明は、カラープリンター用画像処理装置、及び、方法に関するものである。特に、カラープリンターに用いられている色材色の使用量を規定する色分解テーブルを切り換えることにより印刷物の画質（粒状度、Gamutの大きさ）、及び色材量をユーザーが制御できる方法に関するものである。
【背景技術】
【０００２】
従来、カラープリンターの画像処理は、図14のブロック図で示されるような構成であった。同図において、１４０１は、ＲＧＢの再現特性とプリンタの色を合わせるカラーマッチング処理部、１４０２は、カラーマッチング処理部１４０１から出力されたＲ′Ｇ′Ｂ′多値データをプリンタの基本色インクＣ′（シアン）、Ｍ′（マセンタ）、Ｙ′（イエロー）、Ｋ′（ブラック）へ変換するインク色分解処理部、１４０３は、インク色分解処理部１４０２から出力されたＣ′Ｍ′Ｙ′Ｋ′多値データをプリンタで表現できる階調数(例えば２値)に変換するハーフトーン処理部、１４０４は、ハーフトーン処理部１４０３から出力されたＣ"Ｍ"Ｙ"Ｋ"に基づき画像を形成する画像形成処理部である。
【０００３】
また、１４０５は、インク色分解処理部１４０２に対し、その色分解処理に用いるルックアップテーブル（ＬＵＴ）を提供するインク色分解テーブル部である。
【特許文献１】特開２００４−５８６２６号公報
【発明の開示】
【発明が解決しようとする課題】
【０００４】
しかしながら、上記従来例では、1つの色分解テーブルしか持たないため、カラープリンターの色材色として、CMYKの基本色以外の高彩度特色インクや淡色インク等のさまざまな色材色がある場合でも、ユーザーが印刷物の画質を意図的に変えることが出来ないという問題点が存在した。
【０００５】
そこで、本出願に係る発明の目的は、構成する色材色に応じて複数の色分解テーブルを用意し、該色分解テーブルを選択、もしは、融合して、ユーザーが意図的に印刷物の画質（粒状度、Gamutの大きさ）、および、色材量を変えられる装置、及び、方法を提案することである。
【課題を解決するための手段】
【０００６】
上記第1の目的を達成するため、色分解テーブルを用いて所定の入力画像から色材色へ色分解する画像形成装置において、
・粒状度と色再現域（Gamut）を調整する手段と
・使用する色材色の組合せの異なる複数の色分解テーブル手段と
・前記粒状度と色再現域（Gamut）を調整する手段に基づき、前記使用する色材色の組合せの異なる複数の色分解テーブル手段を選択、又は、合成する手段と
・前記選択、又は、合成する手段により生成された色分解テーブルに基づき前記所定の入力画像に対応したヒストグラムを表示する手段
とで構成されることを特徴とする。
【０００７】
上記構成において、ユーザーが意図的に印刷物の画質（粒状度、Gamutの大きさ）を調整できる粒状度と色再現域（Gamut）を調整する手段と、印刷画質（粒状度、Gamutの大きさ）が異なって再現される使用する色材色の組合せの異なる複数の色分解テーブル手段とを用意し、前記粒状度と色再現域（Gamut）を調整する手段に基づき、前記使用する色材色の組合せの異なる複数の色分解テーブル手段を選択、又は、合成する際に、入力画像に応じた色材量のヒストグラムを表示し、色材消費量により、ユーザーが意図的に印刷物の画質（粒状度、Gamutの大きさ）、及び、色材量を変えることが可能となる。
【発明の効果】
【０００８】
以上説明したように、本発明によれば、本実施例により、カラープリンターの色材色として、ＣＭＹＫの基本色、高再度特色インク、そして、淡色インクにより構成されたインクシステムにおいて、カラープリンターの色再現特性（粒状度とGamut）のことなる複数の色分解テーブルを用意し、該色分解テーブルの選択、または、合成を指示するＵＩ、および、  選択、または、合成結果の色分解テーブルに基づき入力画像に対応した色材量のヒストグラムの表示機能を設けることにより、ユーザーが自由に印刷画質（粒状度とGamut）と色材消費量の調整が可能となる。
【発明を実施するための最良の形態】
【０００９】
次に、本発明の詳細を実施例の記述に従って説明する。
【００１０】
＜第1実施例＞
図１は、本発明の一実施形態にかかる印刷システムにおいて色分解処理およびそのための色分解テーブルの作成を実行するための概略構成を示すブロック図である。
【００１１】
同図において、１０１は、ＲＧＢの再現特性とプリンタの色を合わせるカラーマッチング処理部、１０２は、カラーマッチング処理部１０１から出力されたＲ′Ｇ′Ｂ′多値データをプリンタの基本色インクＣ′（シアン）、Ｍ′（マセンタ）、Ｙ′（イエロー）、Ｋ′（ブラック）、及び、高彩度特色インクRd′（レッド）、Gr′（グリーン）、そして、基本色の淡色インクLc'（淡シアン）、Lm'（淡マゼンタ）へ変換するインク色分解処理部、１０３は、インク色分解処理部１０２から出力されたＣ′Ｍ′Ｙ′Ｋ′Rd′Gr′Lc′Lm′多値データをプリンタで表現できる階調数(例えば２値)に変換するハーフトーン処理部、１０４は、ハーフトーン処理部１０３から出力されたＣ"Ｍ"Ｙ"Ｋ"Rd"Gr"Lc"Lm"に基づき画像を形成する画像形成処理部、をそれぞれ示す。
【００１２】
１０５は、インク色分解テーブルの選択合成部であり、インク色分解テーブルの選択ＵＩ部１０６の設定に基づき、CMYKインク色分解テーブルＬ１部１０７、CMYKLcLmインク色分解テーブルＬ２部１０８、CMYKRdGrインク色分解テーブルＬ３部１０９、CMYKRdGrLcLmインク色分解テーブルＬ４部１１０の4テーブルの選択、もしくは、前記４テーブルから補間処理により色分解テーブルを合成する。そして、インク色分解処理部１０２に対し、その色分解処理に用いるルックアップテーブル（ＬＵＴ）を提供するインク色分解テーブルの選択合成部である。
【００１３】
１０６は、このインク色色分解テーブルの選択合成部にて、色分解テーブルの選択合成を行うためのインク色分解テーブル選択ＵＩ部である。１０７、１０８、１０９、１１０は、インク色分解テーブルの選択合成部１０５へテーブルデータの供給を行うためのものであり、それぞれ、ＣＭＹＫインク色分解テーブルＬ1部、ＣＭＹＫLcLmインク色分解テーブルＬ２部、ＣＭＹＫRdGrインク色分解テーブルＬ3部、ＣＭＹＫRdGrLcLmインク色分解テーブルＬ４部を示している。
【００１４】
１１１は、ＣＭＹＫインク色分解テーブルＬ1部１０７、ＣＭＹＫLcLmインク色分解テーブルＬ２部１０８、ＣＭＹＫRdGrインク色分解テーブルＬ3部１０９、ＣＭＹＫRdGrLcLmインク色分解テーブルＬ４部１１０のＬＵＴを作成するインク色分解テーブル作成部を示し、１１２は、インク色分解テーブル作成部１１１によるＬＵТ作成に際して、基礎となるプリンタ特性を提供するプリンタ特性入力部を示す。
【００１５】
図２は、図１に示した印刷システムの具体的構成を示す図である。
【００１６】
図２において、２０１は、パーソナルコンピュータなどのコンピュータを示す。コンピュータ２０１は、本実施形態の印刷システムにおいて所定のアプリケーションによる画像データの作成やその画像データに基づいたプリンタにおける印刷を制御する他、後述される色分解テーブル作成処理や、それに関連して、プリンタ特性を調べるためのパッチデータを保持し、また、モニタ、キーボードなどのＵＩ(ユーザーインターフェース)を介して行われるK,Rd,Grインク量や濃淡分解のインク量の調整、そして、図２の202-2に示されているＵＩを用いたGamutと粒状度の調整を行う。２０２は、コンピュータ２０１に接続されている上記モニタを示し、上述の画像データ作成等においてＵＩとして機能する他、色分解テーブル作成に関する上記パッチデータによるパッチパターン２０２−１の表示、そして、印刷物の画質（Gamut／粒状度）を制御するためのＵＩ202-2の表示をすることができる。２０３は、本印刷システムにおいて印刷を行うカラープリンタを示し、色分解テーブル作成に際して、上記パッチパターン２０２−１に基づきパッチサンプルを印刷する。２０５はこの印刷されたパッチサンプルを示す。また、２０４は、パッチサンプル２０５の各パッチの色を測定するための測色器を示す。
【００１７】
上記構成において、コンピュータ２０１に保持されているＣ′Ｍ′Ｙ′Ｋ′Rd′Gr′Lc′Lm′のパッチデータは、プリンタ２０３におけるパッチサンプル印刷のため、ケーブルまたは不図示のネットワーク等を介してプリンタ２０３に送られる。プリンタ２０３では、これに応じ、そのパッチデータを図１に示したカラーマッチング処理部１０１とインク色分解処理部１０２をバイパスして、直接ハーフトーン処理部１０３に入力しハーフトーン処理のみを行う。そして、このハーフトーン処理されたパッチデータに基づいてパッチサンプル２０５を印刷する。
【００１８】
印刷されるパッチサンプル２０５は、測色器２０４によってその色が測定され、その測定値はコンピュータ２０１に取り込まれる。このパッチサンプル２０５に関しては、詳しく後述する。
【００１９】
なお、以上説明した図２に示す印刷システムの構成において、測色器２０４は図１に示すプリンタ特性入力部１１２を構成し、同様にコンピュータ２０１(およびプリンタドライバもしくはアプリケーションプログラム)はインク色分解テーブル作成部１１１を構成する。従って、図３以降を用いて詳細に説明されるインク色分解テーブル作成部１１１の具体的な処理は、コンピュータ２０１において実行される。コンピュータ２０１で作成されたインク色分解テーブルは、ケーブルまたは不図示のネットワーク等を介して、プリンタ２０３内のＣＭＹＫインク色分解テーブルＬ1部１０７、ＣＭＹＫLcLmインク色分解テーブルＬ２部１０８、ＣＭＹＫRdGrインク色分解テーブルＬ3部１０９、ＣＭＹＫRdGrLcLmインク色分解テーブルＬ４部１１０にダウンロードされて用いられる。すなわち、図１に示す構成のうち、カラーマッチング処理部１０１、インク色分解処理部１０２、ハーフトーン処理部１０３、画像形成処理部１０４およびインク色分解テーブル部１０５は、プリンタ２０３において構成される。
【００２０】
また、本発明の適用は上例に限られないことはもちろんであり、例えば、色分解テーブルを用いた画像処理もコンピュータ２０１で実行し、この処理によって最終的にハーフトーン処理がなされたデータがプリンタ２０３に送られるようにしてもよい。
【００２１】
以上の印刷システムにおけるプリンタ２０３による通常の印刷に際して実行される、インク色分解テーブルを用いた画像処理について簡単に説明する。
【００２２】
ＲＧＢ多値カラー画像データは、図１に示すように、先ずカラーマッチング処理部１０１により、モニタ２０２の色再現域がプリンタ２０３の色再現域に合うようにカラーマッチング処理が施される。カラーマッチング処理がなされたＲ′Ｇ′Ｂ′データは、インク色分解処理部１０２にて、インク色分解テーブル選択UI部106の指示に基づき、インク色分解テーブルの選択合成部１０５により選択、又は、合成されたＬＵТによって、色材であるインクの色信号Ｃ′Ｍ′Ｙ′Ｋ′Rd′Gr′Lc′Lm′に変換される。
【００２３】
ここで、インク色分解テーブル選択部106は、図2における202-2のようなＵＩの構成になっており、インク色分解テーブルの選択合成部１０５では、同UIを用いて粒状度“大”でGamut“小”に指定した場合は、ＣＭＹＫインク色分解テーブルL1部１０７のＬＵＴが選択され、同ＵＩを用いて粒状度“小”でGamut“小”に指定した場合は、ＣＭＹＫＬｃＬｍインク色分解テーブルＬ2部１０８のＬＵＴが選択され、同ＵＩを用いて粒状度“大”でGamut“大”に指定した場合は、ＣＭＹＫＲｄＧｒインク色分解テーブルＬ３部１０９のＬＵＴが選択され、そして、同ＵＩを用いて粒状度“小”でGamut“大”に指定した場合は、ＣＭＹＫＲｄＧｒＬｃＬｍインク色分解テーブルＬ４部１１０のＬＵＴが選択される。また、同ＵＩを用いてその中間的な粒状度、Gamutが指定された場合は、ＣＭＹＫインク色分解テーブルＬ1部１０７、ＣＭＹＫLcLmインク色分解テーブルＬ２部１０８、ＣＭＹＫRdGrインク色分解テーブルＬ3部１０９、ＣＭＹＫRdGrLcLmインク色分解テーブルＬ４部１１０の４ＬＵＴのいずれかのＬＵＴを用いて新たな色分解テーブルの合成処理を行う。また、202-3に示されているように、選択もしくは合成されたLUTを用いて入力画像に対応したヒストグラムを表示し、使用している色材量を考慮のうえ、上記の色分解テーブルの選択もしくは合成処理を行い、その結果のテーブルをインク色分解処理部１０２への供給する。
【００２４】
なお、この変換は、基本的にＬＵТの格子点データに対する補間処理によって行われることは周知のとおりである。色分解テーブルを用いて得られたＣ′Ｍ′Ｙ′Ｋ′Rd′Gr′Lc′Lm′の多値データは、ハーフトーン処理部１０３にて、プリンタ２０３で再現できる階調数に変換され、これに基づき画像形成処理部１０４にて画像の印刷が行われる。
【００２５】
次に、図３を用いて、本実施形態の色分解テーブ作成処理の詳細について説明する。
【００２６】
同図において、ステップＳ０は、スタートステップであり、インク色分解テーブル部１０５にダウンロードするためのテーブル作成を開始する。
【００２７】
ステップＳ１は、CxMxYxKxRdxGrインク組合せパッチの印刷ステップであり、たとえば、各色5段階でサンプリングした場合、5×5×5×5×5×5=15625個のパッチを印刷する。
【００２８】
ステップＳ２は、CxMxYxKxRdxGrインク組合せパッチの測色ステップであり、ステップＳ１にて印刷した15625個のCxMxYxKxRdxGrインク組合せパッチの測色を行う。
【００２９】
ステップＳ３は、目標色の設定ステップであり、インク色分解処理部の入力画像（R',G',B'）に対応した目標色の設定を行う。
【００３０】
ステップＳ４は、CMYKインク色分解テーブル作成ステップであり、図４、図５を用いて詳細な動作説明を行う。図４において、CMYKRdGrの組合せ測色値テーブル部４０２は、図５に示されるような構成のテーブルであり、ステップＳ２にて測色されたCxMxYxKxRdxGrインク組合せパッチの測色値が格納されている。補間演算処理部４０１では、入力画像（R',G',B'）に対応した目標色（L,a,b）とK,Rd=0,Gr=0に対応するCMYの値をCMYKRdGrの組合せ測色値テーブル部４０２に基づき補間演算処理に導く。これにより、入力画像（R',G',B'）に対応したCMYKRdGrインク色分解テーブルを作成することが出来る。
【００３１】
ステップＳ５は、CMYKRdGrインク色分解テーブル作成ステップであり、図４、図５を用いて詳細な動作説明を行う。図４において、CMYKRdGrの組合せ測色値テーブル部４０２は、図５に示されるような構成のテーブルであり、ステップＳ２にて測色されたCxMxYxKxRdxGrインク組合せパッチの測色値が格納されている。補間演算処理部４０１では、入力画像（R',G',B'）に対応した目標色（L,a,b）とK,Rd,Grに対応するCMYの値をCMYKRdGrの組合せ測色値テーブル部４０２に基づき補間演算処理に導く。これにより、入力画像（R',G',B'）に対応したCMYKRdGrインク色分解テーブルを作成することが出来る。
【００３２】
ステップＳ６は、濃淡インクの組合せパッチの印刷ステップである。濃インクとは、C,M,Rd,Grの４色であり、淡インクとは、Lc,Lmを示している。ただし、ステップＳ５，Ｓ６，Ｓ７では、Ｙインクを淡インクとして扱うことにより、同色の淡インクの存在しないRd,Grの濃淡分解を実現している。ここで、Ｃインクの濃淡分解は、ＣインクとLcインクにより濃淡インクの組合せパッチの印刷を行う。
Ｍインクの濃淡分解は、ＭインクとLmインクにより濃淡インクの組合せパッチの印刷を、Rdンクの濃淡分解は、Rdインクと（Y+Lm）インクにより濃淡インクの組合せパッチの印刷を、Grインクの濃淡分解は、Grインクと(Y+Lc)インクにより濃淡インクの組合せパッチの印刷を行う。また、C,M,Rd,Grのそれぞれにおいて、パッチ数は、濃淡各5段階でサンプリングすると5×5=25パッチとなり、ステップＳ5の濃淡インクの組合せパッチの印刷数は、計25×4=100パッチとなる。
【００３３】
ステップS７は、濃淡インクの組合せパッチの測色ステップであり、ステップ５の濃淡インクの組合せパッチの測色を行う。図６、図７、図８、図９は、それぞれ、CとLc、MとLm、Rdと(Y+Lm)、Grと(Y+Lc)の組合せに関して、ステップS6にて測色値の明度と濃淡の合計インク量をプロットして、等明度ラインと等インク量ラインを結んだものである。この図より明らかなように、等明度でインク量の異なる組合せが存在する。
【００３４】
ステップS８は、CMYKインク色分解テーブルからCMYKLcLmインク色分解テーブルの作成ステップであり、図１０、図１１を用いて詳細に説明する。図１０は、Cインクの濃淡分解を実現するためのブロック図であり、同図において、1002は、図６のCインクとLcインクの組合せに対応する測色値とインク量が格納されているテーブルである。1001は、Cインクとインク量ｃからCインクと等明度で合計インク量cとなる(C',Lc')を求めるためのシアン濃淡分解処理部である。図１１は、Mインクの濃淡分解を実現するためのブロック図であり、同図において、1102は、図7のMインクとLmインクの組合せに対応する測色値とインク量が格納されているテーブルである。1101は、Mインクとインク量mからMインクと等明度で合計インク量mとなる(M',Lm')を求めるためのマゼンタ濃淡分解処理部である。以上濃淡分解処理を全てのCMYKインク色分解テーブルに施すことにより、CMYKLcLmインク色分解テーブルが作成される。
【００３５】
ステップS９は、CMYKRdGrインク色分解テーブルからCMYKRdGrLcLmインク色分解テーブルの作成ステップであり、図１０、図１１、図１２、図１３を用いて詳細に説明する。図１０は、Cインクの濃淡分解を実現するためのブロック図であり、同図において、1002は、図６のCインクとLcインクの組合せに対応する測色値とインク量が格納されているテーブルである。1001は、Cインクとインク量ｃからCインクと等明度で合計インク量cとなる(C',Lc')を求めるためのシアン濃淡分解処理部である。図１１は、Mインクの濃淡分解を実現するためのブロック図であり、同図において、1102は、図7のMインクとLmインクの組合せに対応する測色値とインク量が格納されているテーブルである。1101は、Mインクとインク量mからMインクと等明度で合計インク量mとなる(M',Lm')を求めるためのマゼンタ濃淡分解処理部である。図１２は、Rdインクの濃淡分解を実現するためのブロック図であり、同図において、1202は、図８のRdインクと(Y+Lm)インクの組合せに対応する測色値とインク量が格納されているテーブルである。1201は、Rdインクとインク量rからRdインクと等明度で合計インク量rとなる(Rd',Y,'Lm')を求めるためのレッド濃淡分解処理部である。図１３は、Grインクの濃淡分解を実現するためのブロック図であり、同図において、1302は、図９のGrインクと(Y+Lｃ)インクの組合せに対応する測色値とインク量が格納されているテーブルである。1301は、Ｇｒインクとインク量rからGrインクと等明度で合計インク量ｇとなる(Gr',Y,'Lc')を求めるためのグリーン濃淡分解処理部である。以上濃淡分解処理を全てのCMYKRdGrインク色分解テーブルに施すことにより、CMYKRdGrLcLmインク色分解テーブルが作成される。
【００３６】
以上説明したように、本実施例により、カラープリンターの色材色として、ＣＭＹＫの基本色、高再度特色インク、そして、淡色インクにより構成されたインクシステムにおいて、カラープリンターの色再現特性（粒状度とGamut）のことなる複数の色分解テーブルを用意し、該色分解テーブルの選択、または、合成を指示するＵＩを設けることにより、ユーザーが自由に印刷画質（粒状度とGamut）を調整できることが可能となる。
【００３７】
＜第２実施例＞
第1実施例では、高彩度特色インクとして、レッド（Rd）、グリーン（Gr）を用いているが、これに限らず、ブルー(Bl)やオレンジ(Or)、或いは、シアン、マゼンタ、イエロー等、高彩度特色インクならば良い。ブルー(Bl)を用いた場合、濃淡分解の淡インクはLc+Lmインクで構成され、オレンジ（Or）を用いた場合、濃淡分解の淡インクはY+Lmインクで構成される。
【００３８】
また、高彩度特色インクとして搭載する色数は、２色に限らず、3色、4色と増やして行っても良い。
【００３９】
＜第３実施例＞
第1実施例では、淡色インクとして、基本色のシアン、マゼンタを薄めた淡シアン、淡マゼンタインクを用いているが、これに限らず、イエローを薄めた淡イエローインクやブラックを薄めた淡ブラックインクであったり、高彩度特色インクを薄めた淡色インクであっても良い。また、淡色インクとして搭載する色数は、２色に限らず、3色、4色と増やして行っても良い。
【図面の簡単な説明】
【００４０】
【図１】本発明に係る第1実施例の構成を示すブロック図である。
【図２】本発明に係る第1実施例のシステム構成例を示す図である。
【図３】基本４色、高彩度特色インク、そして、淡色インクで構成されるインクシステムにおけるインク色分解テーブル作成方法を説明するためのフローチャートである。
【図４】基本４色と高彩度特色インクで構成される色分解テーブルを説明するためのブロック図である。
【図５】CMYKRdGrの組合せ測色テーブルを説明するための図である。
【図６】CとLcの組合せパッチの明度と合計インク量を格子上にプロットし、等明度ラインと等インク量ラインを結んだ図である。
【図７】MとLmの組合せパッチの明度と合計インク量を格子上にプロットし、等明度ラインと等インク量ラインを結んだ図である。
【図８】RdとY+Lmの組合せパッチの明度と合計インク量を格子上にプロットし、等明度ラインと等インク量ラインを結んだ図である。
【図９】GrとY+Lcの組合せパッチの明度と合計インク量を格子上にプロットし、等明度ラインと等インク量ラインを結んだ図である。
【図１０】Cインクとインク量cからＣインクと等明度で合計インク量cとなる(C',Lc')を求めるためのシアン濃淡分解処理部である。
【図１１】Mインクとインク量mからMインクと等明度で合計インク量mとなる(M',Lm')を求めるためのマゼンタ濃淡分解処理部である。
【図１２】Rdインクとインク量rからRdインクと等明度で合計インク量rとなる(Rd',Y',Lm')を求めるためのレッド濃淡分解処理部である。
【図１３】Grインクとインク量gからGrインクと等明度で合計インク量gとなる(Gr',Y',Lc')を求めるためのグリーン濃淡分解処理部である。
【図１４】CMYKの基本４色で構成されるインクシステムにおいて、単一の色分解テーブルを用いた従来の画像処理フローを示す図である。
【符号の説明】
【００４１】
１０１  カラーマッチング処理部
１０２  インク色分解処理部
１０３  ハーフトーン処理部
１０４  画像形成処理部
１０５  インク色分解テーブルの選択合成部
１０６  インク色分解テーブル選択ＵＩ部
１０７  ＣＭＹＫインク色分解テーブルＬ１部
１０８  ＣＭＹＫＬｃＬｍインク色分解テーブルＬ２部
１０９  ＣＭＹＫＲｄＧｒインク色分解テーブルＬ３部
１１０  ＣＭＹＫＲｄＧｒＬｃＬｍインク色分解テーブルＬ４部
１１１  インク色分解テーブル作成部
１１２  プリンター特性入力部
２０１  コンピュータ
２０２  モニタ
２０２−１  モニタ上のパッチパターン
２０２−２  印刷画質（粒状度、Gamut）調整ＵＩ
２０２−３  色材量のヒストグラムの表示
２０３  カラープリンター
２０４  測色器
２０５  カラーパッチ
４０１  補間演算処理部
４０２  CMYKRdGrの組合せ測色値テーブル部
１００１  シアン濃淡分解処理部
１００２  シアン濃淡インク組合せ測色値／インク量テーブル部
１１０１  マゼンタ濃淡分解処理部
１１０２  マゼンタ濃淡インク組合せ測色値／インク量テーブル部
１２０１  レッド濃淡分解処理部
１２０２  レッド濃淡インク組合せ測色値／インク量テーブル部
１３０１  グリーン濃淡分解処理部
１３０２  グリーン濃淡インク組合せ測色値／インク量テーブル部
１４０１  カラーマッチング処理部
１４０２  インク色分解処理部
１４０３  ハーフトーン処理部
１４０４  画像形成処理部
１４０５  インク色分解テーブル部
【図１】
2009038581.tif 000003
【図２】
2009038581.tif 000004
【図３】
2009038581.tif 000005
【図４】
2009038581.tif 000006
【図５】
2009038581.tif 000007
【図６】
2009038581.tif 000008
【図７】
2009038581.tif 000009
【図８】
2009038581.tif 000010
【図９】
2009038581.tif 000011
【図１０】
2009038581.tif 000012
【図１１】
2009038581.tif 000013
【図１２】
2009038581.tif 000014
【図１３】
2009038581.tif 000015
【図１４】
2009038581.tif 000016